(57)【要約】【課題】  商品の買い替えにあたり，現在使っている商品の付属品を適切に処分することの可能なオークションシステムを提供する。【解決手段】  商品の販売店を介して，商品の付属品を出品する段階（ステップＳ１）と，出品された付属品に対する入札者端末からの入札を受け付ける段階（ステップＳ２）と，付属品の落札者を決定する段階（ステップＳ３）と，落札者による落札代金の支払を受け付ける段階（ステップＳ４）と，付属品の落札代金を販売店に支払う段階（ステップＳ５）とを含むことを特徴とする。出品者の利益として，商品の付属品を効率的かつ有効に処分することが可能である。また商品の販売店の利益として，販売店を介してオークションに出品することにより，その販売店での商品の買い換えを促進することができる。また，仲介手数料を獲得することも可能である。【選択図】  図１
2005078254.tif 000002
【特許請求の範囲】
【請求項１】
ネットワークを利用したオークションシステムであって：
販売店に設置され，商品の付属品を出品するための出品情報を入力する出品登録用端末と；
前記出品された付属品に入札するための入札情報を入力する入札者端末と；
少なくとも，前記出品登録用端末からの出品情報を受け付ける機能と，前記入札者端末からの入札情報を受け付ける機能と，前記出品情報と入札情報に基づき落札者を決定する機能と，前記落札者による落札代金を前記販売店に入金する機能と，を有する管理サーバと；
を含むことを特徴とする，オークションシステム。
【請求項２】
前記管理サーバは，前記落札代金を，前記出品者が前記販売店で購入する商品の代金の少なくとも一部に充当するものとして販売店に入金する機能を有することを特徴とする，請求項１に記載のオークションシステム。
【請求項３】
前記管理サーバは，さらに，
入札を希望する付属品の条件に関する入札条件を前記入札者端末から受け付ける機能と，
前記出品情報と前記入札条件とを照合し，前記入札条件に合致した付属品が出品された場合には，前記入札者端末にその旨を通知する機能と，
を有することを特徴とする，請求項１または２に記載のオークションシステム。
【請求項４】
前記出品登録用端末は，画像入力手段を備えたことを特徴とする，請求項１〜３のいずれかに記載のオークションシステム。
【請求項５】
前記付属品が落札されたことの通知を前記出品者が受けるための出品者端末をさらに含み，
前記管理サーバは，前記付属品が落札されたことを前記出品者端末に通知する機能をさらに有することを特徴とする，請求項１〜４のいずれかに記載のオークションシステム。
【請求項６】
前記出品者端末は，携帯端末であることを特徴とする，請求項５に記載のオークションシステム。
【請求項７】
前記管理サーバから前記落札代金を預かる機能と，前記預かった落札代金を前記販売店に支払う機能とを有する金融機関サーバをさらに含むことを特徴とする，請求項１〜６のいずれかに記載のオークションシステム。
【請求項８】
ネットワークを利用したオークション取引方法であって，
商品の販売店を介して，前記商品の付属品を出品する段階と，
前記出品された付属品に対する入札者端末からの入札を受け付ける段階と，
前記付属品の落札者を決定する段階と，
前記落札者による落札代金の支払を受け付ける段階と，
前記付属品の落札代金を販売店に支払う段階と，
を含むことを特徴とする，オークション取引方法。
【請求項９】
前記落札代金の一部が，前記出品者が前記販売店で新たに購入する商品の代金の少なくとも一部に充当されることを特徴とする，請求項８に記載のオークション取引方法。
【請求項１０】
入札を希望する付属品の条件に関する入札条件を前記入札者端末から受け付ける段階と，
前記出品された付属品と前記入札条件とを照合し，前記入札条件に合致した付属品が出品された場合には，前記入札者端末にその旨を通知する段階と，
を含むことを特徴とする，請求項８または９に記載のオークション取引方法。
【請求項１１】
前記付属品が落札されたことを前記出品者に通知する段階をさらに含むことを特徴とする，請求項８〜１０のいずれかに記載のオークション取引方法。
【請求項１２】
前記落札代金は，金融機関および前記販売店を介して前記付属品の出品者に支払われることを特徴とする，請求項８〜１１のいずれかに記載のオークション取引方法。
【請求項１３】
コンピュータを，請求項１〜７のいずれかに記載の管理サーバとして機能させるための，コンピュータプログラム。
【請求項１４】
ネットワークを利用したオークション管理サーバであって：
出品登録用端末からの出品情報を受け付ける機能と，
入札者端末からの入札情報を受け付ける機能と，
前記出品情報と入札情報に基づき落札者を決定する機能と，
前記落札者による落札代金を販売店に入金する機能と，
を有することを特徴とする，オークション管理サーバ。
【請求項１５】
前記落札代金を，前記出品者が前記販売店で購入する商品の代金の少なくとも一部に充当するものとして販売店に入金する機能をさらに有することを特徴とする，請求項１４に記載のオークション管理サーバ。
【請求項１６】
入札を希望する付属品の条件に関する入札条件を前記入札者端末から受け付ける機能と，
前記出品情報と前記入札条件とを照合し，前記入札条件に合致した付属品が出品された場合には，前記入札者端末にその旨を通知する機能と，
をさらに有することを特徴とする，請求項１４または１５に記載のオークション管理サーバ。
【請求項１７】
落札者を決定したことを前記出品者端末に通知する機能をさらに有することを特徴とする，請求項１４〜１６のいずれかに記載のオークション管理サーバ。
【発明の詳細な説明】
【技術分野】
【０００１】
本発明は，インターネットなどのネットワークを介したオークションシステム，オークション取引方法，オークション管理サーバ，およびその関連技術に関する。
【背景技術】
【０００２】
車やコンピュータといった比較的高価な商品の取引形態の一つとして，買い替えがある。現在所有している商品を下取りに出すことによって，より高性能となった新商品を割安に購入することができる。また，近年では，インターネットなどのネットワークを利用した電子商取引やネットオークション（例えば，非特許文献１参照。）などが発達したことから，従前に比べて下取りなどを有利に行うことができるようになっている。
【０００３】
【非特許文献１】落札王（ライブオークション株式会社，登録商標），インターネット＜ＵＲＬ：http://gazoo.com/shop/LA/index_obi2.asp＞
【発明の開示】
【発明が解決しようとする課題】
【０００４】
しかしながら，商品の買い替えを検討する際に，共通する問題点として，現在使っている商品（本体およびその付属品）をどう処分するかがある。商品本体（例えば，車）については，下取りに出したり，あるいは中古品専門店に売却する等，方法は多数あるが，商品の付属品（例えば，スタッドレスタイヤ，スキーキャリア，ルーフキャリア等）については，買い替えたときに再度利用することが難しく，また売却する方法も少なく，処分に悩むことも多い。結局，まだ十分使用できるにもかかわらず，ゴミとして処分する場合が多い。このような背景から，商品の買い替えにあたり，現在使っている商品の付属品を適切に処分することの可能な手段が希求されている。
【０００５】
本発明は，上記背景技術に鑑みてなされたものであり，本発明の主な目的は，商品の買い替えにあたり，現在使っている商品の付属品を適切に処分することの可能な，新規かつ改良されたオークションシステム，オークション取引方法，オークション管理サーバ，およびその関連技術を提供することである。
【課題を解決するための手段】
【０００６】
上記課題を解決するため，本発明の第１の観点によれば，インターネットなどのネットワークを利用したオークションシステムが提供される。本発明のオークションシステムは，販売店（２００）に設置され，商品の付属品を出品するための出品情報を入力する出品登録用端末（２１０）と；出品された付属品に入札するための入札情報を入力する入札者端末（３１０）と；少なくとも，出品登録用端末からの出品情報を受け付ける機能（１１０ｂ）と，入札者端末からの入札情報を受け付ける機能（１１０ｃ）と，出品情報と入札情報に基づき落札者を決定する機能（１１０ｃ）と，落札者による落札代金を販売店に入金する機能（１１０ｄ）と，を有する管理サーバ（１００）と；を含むことを特徴とする（請求項１）。
【０００７】
かかるオークションシステムによれば，まず出品者の利益として，商品の買い替えにあたり，現在使っている商品の付属品をオークションに出品することができるので，商品の付属品を効率的かつ有効に処分することが可能である。なお，出品登録用端末が販売店に設置されているので，出品者がネットワークに接続する手段を保持していなくても，オークションに出品することができる。また商品の販売店の利益として，付属品を効率的かつ有効に処分することができるので，買い換えへの新たな需要を喚起することが可能である。また，出品者がオークションに出品するにあたり，その仲介手数料を獲得することも可能である。さらにまた，販売店を介してオークションに出品することにより，その販売店での商品の買い換えを促進することができる。
【０００８】
本発明のオークションシステムにおいて，以下のような応用が可能である。
【０００９】
管理サーバは，落札代金を，出品者が販売店で購入する商品の代金の少なくとも一部に充当するものとして販売店に入金する機能を有するシステムとすることが可能である（請求項２）。かかるシステムによれば，新たな商品を購入する際の代金が実質的に割り引かれることになるので，その販売店での商品の買い換えを一層促進することができる。
【００１０】
管理サーバは，さらに，入札を希望する付属品の条件に関する入札条件を入札者端末から受け付ける機能（１１０ａ）と，出品情報と入札条件とを照合し，入札条件に合致した付属品が出品された場合には，入札者端末にその旨を通知する機能（１１０ａ）と，を有するシステムとすることが可能である（請求項３）。かかるシステムによれば，入札を希望する付属品の条件に関する入札条件をあらかじめ受け付けておき，入札条件に合致した付属品が出品された場合，あるいは，入札条件に合致した付属品がすでに出品されている場合には，入札希望者にその旨を通知することができる。このようにして，入札希望者による入札参加を促すことが可能である。
【００１１】
出品登録用端末は，画像入力手段を備えるようにしてもよい（請求項４）。出品者による出品の便宜のために，例えばタッチパネル方式の入力・表示装置を備えたり，スキャナやディジタルカメラなどを備えた構成を採用することができる。
【００１２】
付属品が落札されたことの通知を出品者が受けるための出品者端末（４００）をさらに含み，管理サーバは，付属品が落札されたことを出品者端末に通知する機能（１１０ｃ）をさらに有するシステムとすることが可能である（請求項５）。かかるシステムによれば，出品した付属品への入札状況などを必要に応じて把握することができる。
【００１３】
また特に，このような出品者端末として，携帯電話などの携帯端末を採用することが可能である（請求項６）。出品した付属品への入札状況などを，時や場所を選ばず随時把握することができる。
【００１４】
管理サーバから落札代金を預かる機能と，預かった落札代金を販売店に支払う機能とを有する金融機関サーバ（５００）をさらに含むシステムとすることが可能である（請求項７）。
【００１５】
また，上記課題を解決するため，本発明の第２の観点によれば，インターネットなどのネットワークを利用したオークション取引方法が提供される。本発明のオークション取引方法は，商品の販売店を介して，商品の付属品を出品する段階（ステップＳ１）と，出品された付属品に対する入札者端末からの入札を受け付ける段階（ステップＳ２）と，付属品の落札者を決定する段階（ステップＳ３）と，落札者による落札代金の支払を受け付ける段階（ステップＳ４）と，付属品の落札代金を販売店に支払う段階（ステップＳ５）と，を含むことを特徴とする（請求項８）。
【００１６】
かかるオークション取引方法によれば，まず出品者の利益として，商品の買い替えにあたり，現在使っている商品の付属品をオークションに出品することができるので，商品の付属品を効率的かつ有効に処分することが可能である。また商品の販売店の利益として，付属品を効率的かつ有効に処分することができるので，買い換えへの新たな需要を喚起することが可能である。また，出品者がオークションに出品するにあたり，その仲介手数料を獲得することも可能である。さらにまた，販売店を介してオークションに出品することにより，その販売店での商品の買い換えを促進することができる。
【００１７】
本発明のオークション取引方法において，以下のような応用が可能である。
【００１８】
落札代金の一部が，出品者が販売店で新たに購入する商品の代金の少なくとも一部に充当される方法とすることが可能である（請求項９）。かかる方法によれば，新たな商品を購入する際の代金が実質的に割り引かれることになるので，その販売店での商品の買い換えを一層促進することができる。
【００１９】
さらに，入札を希望する付属品の条件に関する入札条件を入札者端末から受け付ける段階と，出品された付属品と入札条件とを照合し，入札条件に合致した付属品が出品された場合には，入札者端末にその旨を通知する段階と，含む方法とすることが可能である（請求項１０）。かかる方法によれば，入札を希望する付属品の条件に関する入札条件をあらかじめ受け付けておき，入札条件に合致した付属品が出品された場合，あるいは，入札条件に合致した付属品がすでに出品されている場合には，入札希望者にその旨を通知することができる。このようにして，入札希望者による入札参加を促すことが可能である。
【００２０】
さらに，付属品が落札されたことを出品者に通知する段階を含む方法とすることが可能である（請求項１１）。かかる方法によれば，出品した付属品への入札状況などを必要に応じて把握することができる。また特に，このような出品者端末として，携帯電話などの携帯端末を採用することにより，出品した付属品への入札状況などを，時や場所を選ばず随時把握することができる。
【００２１】
落札代金は，金融機関および販売店を介して付属品の出品者に支払われる方法とすることが可能である（請求項１２）。
【００２２】
また，本発明の他の観点によれば，コンピュータを，上記本発明の第１の観点にかかる管理サーバとして機能させるための，コンピュータプログラムが提供される（請求項１３）。さらに，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フロッピーディスク（ＦＤ：Ｆｌｏｐｐｙ  Ｄｉｓｋ）など，プログラムを記録可能な記録媒体として現在一般に用いられている記録媒体，あるいは将来用いられるいかなる記録媒体をも採用することができる。そして，かかるコンピュータプログラムおよび記録媒体は，商取引の対象として，独立して市場を流通可能である。
【００２３】
また，本発明の他の観点によれば，インターネットなどのネットワークを利用したオークション管理サーバが提供される。本発明のオークション管理サーバは，出品登録用端末からの出品情報を受け付ける機能と，入札者端末からの入札情報を受け付ける機能と，出品情報と入札情報に基づき落札者を決定する機能と，落札者による落札代金を販売店に入金する機能と，を有することを特徴とする（請求項１４）。
【００２４】
本発明のオークション管理サーバにおいて，以下のような応用が可能である。
【００２５】
落札代金を，出品者が販売店で購入する商品の代金の少なくとも一部に充当するものとして販売店に入金する機能をさらに有するようにしてもよい（請求項１５）。
【００２６】
入札を希望する付属品の条件に関する入札条件を入札者端末から受け付ける機能と，出品情報と入札条件とを照合し，入札条件に合致した付属品が出品された場合には，入札者端末にその旨を通知する機能と，をさらに有するようにしてもよい（請求項１６）。
【００２７】
落札者を決定したことを出品者端末に通知する機能をさらに有するようにしてもよい（請求項１７）。
【００２８】
なお上記において，構成要素に付随して括弧書きで記した参照符号およびステップは，理解を容易にするため，後述の実施形態および図面における対応する構成要素を一例として記したに過ぎず，本発明がこれに限定されるものではない。
【発明の効果】
【００２９】
以上説明したように，本発明の主な効果を挙げれば，まず出品者の利益として，商品の買い替えにあたり，現在使っている商品の付属品をオークションに出品することができるので，商品の付属品を効率的かつ有効に処分することが可能である。また商品の販売店の利益として，付属品を効率的かつ有効に処分することができるので，買い換えへの新たな需要を喚起することが可能である。また，出品者がオークションに出品するにあたり，その仲介手数料を獲得することも可能である。さらにまた，販売店を介してオークションに出品することにより，その販売店での商品の買い換えを促進することができる。
【発明を実施するための最良の形態】
【００３０】
以下に添付図面を参照しながら，本発明にかかるオークションシステム，オークション取引方法，オークション管理サーバ，およびその関連技術の好適な実施の形態について詳細に説明する。なお，本明細書および図面において，実質的に同一の機能構成を有する構成要素については，同一の符号を付することにより重複説明を省略する。
【００３１】
（第１の実施の形態）
図１は，本実施の形態にかかるオークションシステムの概略構成を示す説明図である。
オークションシステム１０は，図１に示したように，管理サーバ１１０と管理サーバデータベース（ＤＢ）１２０を備えた管理者１００と，販売店端末２１０と販売管理データベース（ＤＢ）２２０を備えた販売店２００と，入札者端末３１０を備えた入札者３００と，出品者端末４１０を備えた出品者４００と，金融機関サーバ５１０と口座データベース（ＤＢ）５２０を備えた金融機関５００を含んで構成されるシステムである。なお，図１においては，便宜上，管理者１００，販売店２００，入札者３００，出品者４００，および金融機関５００を各々一つずつ示しているが，管理者１００はシステム内に複数存在してもよい。また，販売店２００，入札者３００，出品者４００，および金融機関５００が，システム内に多数存在しうることは，以下の説明から容易に理解されるべきである。また，システム構成要素のうち，端末と称するものの中には，他のシステム構成要素との関係で相対的にサーバとして機能するものもあるが，便宜上，端末と称する。
以下に，これらシステム構成要素について順に説明する。
【００３２】
（管理者１００）
管理者１００は，本実施の形態にかかるオークションシステム１０においてサービスを提供および管理する者であり，いわゆるＡＳＰ（Ａｐｐｌｉｃａｔｉｏｎ  Ｓｅｒｖｉｃｅ  Ｐｒｏｖｉｄｅｒ）事業者などを想定している。管理者１００は，図１に示したように，管理サーバ１１０と管理サーバデータベース（ＤＢ）１２０を備えている。管理サーバ１１０は，管理者１００が設置・運営するサーバであり，各種サイトを提供するウェブサーバや，管理サーバデータベース１２０を制御するデータベースサーバおよびトランザクションサーバなどから構成されている。
【００３３】
管理サーバ１１０が提供するサイトとしては，例えば図１に示した，希望商品事前登録サイト１１０ａと，出品登録受付サイト１１０ｂと，オークションサイト１１０ｃと，落札代金決済サイト１１０ｄがある。希望商品事前登録サイト１１０ａは，後述の入札者端末３１０からアクセスされて入札者３００の入札希望商品を事前に登録するためのサイトである。出品登録受付サイト１１０ｂは，後述の販売店端末２１０からアクセスされて商品の付属品の登録を受け付けるとともに，入札者端末３１０に対して出品された付属品の情報を提供するサイトである。オークションサイト１１０ｃは，入札者端末３１０からアクセスされて入札者３００による入札を受け付けるとともに，後述の出品者端末４１０からアクセスされて入札状況を提供するサイトである。落札代金決済サイト１１０ｄは，販売店端末２１０と入札者端末３１０と出品者端末４１０と金融機関サーバ５１０からアクセスされて，落札代金に関する一連の決済処理を行うためのサイトである。
【００３４】
このように，管理サーバ１１０は，本実施の形態にかかるオークションシステム１０内における各種情報を一元管理するサーバである。管理サーバ１１０で管理される情報は，必要に応じて管理サーバデータベース１２０に蓄積される。
【００３５】
管理サーバデータベース１２０には，上記各サイトを介してやり取りを行う各種情報がデータベース化されて蓄積されている。管理サーバデータベース１２０に蓄積される情報の一つに，出品者４００および入札者３００の個人情報（認証にも使用）がある。個人情報としては，例えば，住所，氏名，職業，運転免許証番号，健康保険証番号，金融機関口座番号電子メールアドレスなどがある。本実施の形態にかかるオークションシステム１０を会員制（事前登録制）で運営する場合には，個人情報については会員登録時にのみ入力を要することとして，出品あるいは入札時には，会員識別情報（ＩＤなど）の入力で代用するようにしてもよい。
【００３６】
（販売店２００）
販売店２００は，本実施の形態にかかるオークションシステム１０内で扱われる付属品を取付け可能な商品を販売する店舗である。一般的な商取引形態としては，販売店２００は，商品（例えば自動車）に加え，これに関連する付属品（例えばタイヤ）を販売している。ただし，オークションシステム１０内で扱う付属品は，販売店で販売する付属品には限定されず，販売店以外で販売される付属品も含む。そして，本実施の形態では，販売店２００は，オークションの出品者４００が商品の付属品を出品するために利用されることを特徴とする。かかる販売店２００は，図１に示したように，本発明の出品登録用端末として機能する販売店端末２１０と，販売管理データベース２２０を備えている。販売店端末２１０は，オークション出品登録に用いられるとともに，販売管理に用いることが可能である。
【００３７】
販売店端末２１０は，オークションの出品者４００が出品登録を行うために用いられる端末である。販売店端末２１０は，インターネットに接続可能なＷｅｂクライアントであり，少なくとも，Ｗｅｂブラウザをソフトウェアとして含む。販売店端末２１０は，出品者４００による出品の便宜のために，画像入力手段を備えることができる。このような画像入力手段としては，例えば，タッチパネル方式の入力・表示装置や，スキャナやディジタルカメラなどがある。
【００３８】
さらに，販売店端末２１０は，販売店２００における販売管理を行う機能を備えている。販売店端末２１０は，管理サーバ１１０と接続されており，管理サーバ１１０との間で，出品する付属品の情報，出品者の個人情報（認証にも使用）などのやりとりを行う。
【００３９】
本実施の形態では，販売店端末２１０の機能として，出品者が出品登録を行うための機能と，販売管理の機能とを兼ね備えている場合について説明するが，本発明はこれに限定されない。出品登録用の端末と，販売管理用の端末とを別個に設けてもよい。例えば，出品登録用の端末としては，主に画像処理機能などに特化した端末を用いることができ，また，販売管理用の端末としては，主に計算処理機能や図表作成機能，さらにはセキュリティ機能などに特化した端末を用いることができる。
【００４０】
販売店端末２１０で扱われる情報は，必要に応じて，販売管理データベース２２０に蓄積される。
【００４１】
（販売管理データベース２２０）
販売管理データベース２２０には，販売店端末２１０を介してやり取りを行う各種情報がデータベース化されて蓄積されている。販売管理データベース２２０に蓄積される情報のうち，本実施の形態に特徴的なものとしては，商品の付属品に関する各種情報や，出品された付属品の落札結果や落札代金の入金通知に関する情報などがある。
【００４２】
（入札者３００）
入札者３００は，本実施の形態にかかるオークションシステム１０に出品された商品の付属品に入札を行う者であり，本システムに接続可能な一般的な利用者（エンドユーザ）を想定している。入札者３００は，図１に示したように，入札者端末３１０を備えている。入札者端末３１０は，入札者３００がオークションの入札を行うために用いられる端末である。入札者端末３１０は，オークション入札者の自宅などに設置される。入札者端末３１０は，インターネットに接続可能なＷｅｂクライアントであり，少なくとも，Ｗｅｂブラウザや電子メールソフトウェアなどをソフトウェアとして含む。入札者端末３１０は，管理サーバ１１０と接続されており，管理サーバ１１０との間で，出品された付属品の情報，入札情報，落札通知，支払情報，入札者３００の個人情報（認証にも使用）などのやり取りを行う。
【００４３】
（出品者４００）
出品者４００は，上述のように，販売店２００に設置された販売店端末２１０を用いて，オークションシステム１０に出品を行う者であり，一般的な商品の購買者（消費者）を想定している。本実施の形態では図１に示したように，出品者４００は，出品者端末４１０を備えている。出品者端末４１０は，出品者４００が，出品した商品の落札結果や落札代金の入金通知を受けるために用いられる端末である。出品者端末４１０は，例えば，携帯端末（携帯電話など）やコンピュータであり，携帯端末であれば出品者が常時携帯することができ，また，コンピュータは出品者４００の自宅などに設置される。出品者端末４１０は，インターネットに接続可能なＷｅｂクライアントであり，少なくとも，Ｗｅｂブラウザや電子メールソフトウェアなどをソフトウェアとして含む。出品者端末４１０は，管理サーバ１１０と接続されており，管理サーバ１１０から，落札結果や落札代金の入金通知を受ける。
【００４４】
（金融機関５００）
金融機関５００は，本実施の形態にかかるオークションシステム１０において主に課金に関する処理を行う機関であり，銀行などを想定している。本実施の形態では，金融機関５００は，販売店２００，入札者３００，および出品者４００と取引があるものとし，少なくとも，販売店２００名義の口座を開設しているものとする。金融機関５００は，図１に示したように，金融機関サーバ５１０と口座データベース（ＤＢ）５２０を備えている。金融機関サーバ５１０は，金融機関５００が設置・運営するサーバであり，ウェブサーバや，口座データベース５２０を制御するデータベースサーバおよびトランザクションサーバなどから構成されている。また，金融機関サーバ５１０は，決済システムなどの一般的なソフトウェアを含む。金融機関サーバ５１０は，管理サーバ１１０と接続されており，落札代金，落札したオークション入札者の個人情報（決済用）などのやりとりを行う。
【００４５】
本実施の形態にかかるオークションシステム１０は，以上のように構成されている。
次いで，オークションシステム１０のシステム動作について説明する。本実施の形態では，販売店２００で販売される商品が自動車であり，出品者４００がオークションに出品する商品の付属品が自動車の付属品である場合を例に挙げて説明する。
【００４６】
図２は，オークションシステム１０のシステム動作を示すフローチャートである。
以下，図２を参照しながら順に説明する。
【００４７】
１．オークション出品（ステップＳ１）
まず，販売店２００を介して，付属品の出品を受け付ける（ステップＳ１）。図３は，オークション出品時の動作を示す説明図である。このステップＳ１について，図３を参照しながら説明する。
【００４８】
出品者４００は，下取車の売却に伴って不要になる出品対象の付属品情報を，販売店端末２１０を利用して登録する。このとき，付属品情報として商品カテゴリの情報（出品データ）などを登録するほか，出品者の個人情報（認証にも使用）や最低落札価格なども，併せて登録する。具体的には，販売店端末２１０を用いて，管理サーバデータベース１２０のＷｅｂサーバ上に設けられた出品登録受付サイト１１０ｂにアクセスして，必要事項を販売店端末２１０から入力する。このとき，付属品の画像情報なども，必要に応じて，販売店端末２１０の画像入力手段を用いて取得して，同様に入力する。入力された情報は，すべて管理者サーバ１１０に送られ，管理サーバデータベース１２０に記録される。
【００４９】
上記において，「付属品情報としての商品カテゴリの情報」とは，例えば，商品の付属品を，レイヤ１，レイヤ２，レイヤ３，・・・，あるいは，大分類・中分類・小分類，などに区分したものである。例えば，レイヤ１（大分類）を「タイヤ」，「ホイール」などの付属品名とした場合，レイヤ２（中分類）を「スタッドレス」，「スチール」などのより詳細な材質名としたり，レイヤ３（小分類）を「１６５／７０ＳＲ１４」，「４．５ＪＪ−１４」などの具体的な型番などとすることができる。
【００５０】
入札者３００は，実際の入札の前にあらかじめ，入札条件を，入札者端末３１０を用いて登録しておく。入札条件としては，希望する商品カテゴリの情報（希望データ），入札者の個人情報を登録する。登録された入札条件は，管理者サーバ１１０に送られ，管理サーバデータベース１２０に記録される。管理サーバデータベース１２０では，出品対象付属品の情報を受信した時点で，出品対象付属品と落札希望商品とについて，商品カテゴリの情報を照合する。なお，入札条件として，事前に入札希望価格も登録し，最低落札価格を上回るか否かを，照合する要素に加えても構わない。一致する組み合わせがあった場合には，管理サーバデータベース１２０が，出品があった旨を入札者端末３１０に対して通知する。この際，付属品の出品データ，入札者自身の希望データ，一致する組み合わせがあった旨の一致情報などが通知される。この通知が，入札者３００に対してオークションに実際に参加（入札）する行為を促す意味を持つ。
【００５１】
２．オークション入札（ステップＳ２）
管理者サーバ１１０は入札者３００からの入札を受け付ける（ステップＳ２）。図４は，オークション入札から落札までの動作を示す説明図である。このステップＳ２について，図４を参照しながら説明する。
【００５２】
入札者３００は，出品があった旨の通知を受け取ると，まず入札者端末３１０を用いて，管理サーバデータベース１２０から，出品対象付属品の情報を取得する。この情報を入札者３００が確認して入札希望の有無を判断する。入札希望となれば，入札者３００は入札者端末３１０に，入札データ（入札情報）を入力する。入札データとしては，入札価格，入札者の個人情報の一部等を入力し，入札者端末３１０から管理サーバデータベース１２０に送られる。上述のように，本実施の形態にかかるオークションシステム１０には，入札者３００は多数存在し，一般的には入札の受付も多数行われる。
【００５３】
３．オークション落札（ステップＳ３）
管理者サーバ１１０は，入札者３００からの入札を受け付けると，落札者を決定する（ステップＳ３）。このステップＳ３について，引き続き図４を参照しながら説明する。
【００５４】
管理サーバデータベース１２０では，入札者端末３１０から送られてきた入札データと販売店端末２１０からあらかじめ送られていた付属品情報とに基いて，落札可否を判断する。より具体的には，付属品情報の最低落札価格と，入札データの入札価格を比較し，最低落札価格以上であるか，複数の者から入札が合った場合は，入札価格の高い者（同価格の場合は入札時期の早い者）を優先して落札可否を判断する。落札可の場合には，管理サーバデータベース１２０は，落札した入札者３００を特定して，出品者４００の出品者端末４１０および当該入札者３００の入札者端末３１０に対して，落札情報を通知する。ここで，当該入札者３００の入札者端末３１０に対しては，電子メールによって，落札情報とともに，管理サーバ１１０上の落札代金決済サイト１１０ｄの情報（ＵＲＬなど）が通知される。
【００５５】
４．落札代金決済（ステップＳ４〜Ｓ５）
落札処理が終了すると，管理サーバ１１０は，落札した入札者３００による落札代金の支払を受け付ける（ステップＳ４）。図５は，入札者３００による落札代金入金手続から出品者４００などへの落札代金入金情報の通知までの，一連の落札代金決済の動作を示す説明図である。このステップＳ４について，図５を参照しながら説明する。
【００５６】
入札者３００は，入札者端末３１０を通して管理サーバデータベース１２０から落札通知を受け取ると，入札者端末３１０を通じて管理サーバデータベース１２０の落札代金決済サイト１１０ｄに支払情報を入力する（落札代金入金手続）。管理サーバデータベース１２０は，支払情報を受け取ると，金融機関サーバ５１０との間で落札代金決済のトランザクション処理を行う（落札代金振り込み）。これと並行して管理サーバデータベース１２０は，販売店端末２１０および出品者端末４１０に対して，決済情報（落札代金入金情報）を通知する。出品者端末４１０に対しての通知は，電子メールによって行うことができる。
【００５７】
なお，販売店端末２１０に対しても，同様に電子メールを用いて通知することも考えられるが，通知を受け取った販売店端末２１０側で販売管理データベース２２０への追加処理を行うものであるため，一般的な電子メールよりも，販売店端末２１０が通知を自動的に検知して所定の処理を行うような専用のシステムを採用することが，より好ましいと考えられる。
【００５８】
以上，一連の落札代金決済の動作を経て，付属品の落札代金が販売店２００に入金される（ステップＳ５）。本実施の形態では，落札代金が出品者４００に直接支払われるのではなく，出品者４００が販売店２００で新たに購入する商品の代金の少なくとも一部に充当されることを特徴とする。すなわち，落札代金を販売店２００に入金することで出品者４００に支払ったことになる。この点について，以下に説明する。
【００５９】
５．落札品納品，商品購入など（ステップＳ６）
一連の落札代金決済の後，出品者４００から落札した入札者３００に対する落札品の納品，および，出品者４００による販売店２００における商品購入などが行われる（ステップＳ６）。図６は，落札品納品，商品購入などの動作を示す説明図である。このステップＳ６について，図６を参照しながら説明する。
【００６０】
出品者４００は，出品者端末４１０にて決済情報を確認した後に，販売店２００との間で新車の購入契約を正式に締結する。出品者４００は，新車の購入代金のうち，落札代金相当額を差し引いた金額を支払う。新車の購入代金は，金融機関５００の販売店２００名義の口座に振り込むようにしてもよく，あるいは，販売店２００に直接渡してもよい。そして，販売店２００は，新車の購入代金の入金を確認すると，出品者４００に対して新車を納車する。これと並行して，出品者４００は下取車を販売店２００に引き渡す。また，出品者４００は，付属品を落札した入札者３００に対して，当該付属品を引き渡す。
【００６１】
以上説明したように，本実施の形態によれば，まず出品者４００の利益として，商品の買い替えにあたり，現在使っている商品の付属品をオークションに出品することができるので，商品の付属品を効率的かつ有効に処分することが可能である。また商品の販売店２００の利益として，付属品を効率的かつ有効に処分することができるので，買い換えへの新たな需要を喚起することが可能である。また，出品者４００がオークションに出品するにあたり，その仲介手数料を獲得することも可能である。さらにまた，販売店２００を介してオークションに出品することにより，販売店２００への来店の機会を増やし，その販売店２００での商品の買い換えを促進することができる。
【００６２】
（他の実施の形態）
以下に，上記第１の実施の形態を応用した，他の実施の形態について説明する。
【００６３】
・落札品の納品時期，落札代金の決済時期，納品代行などの追加サービス
上記実施の形態では，出品者４００が下取車の引き取り時期まで付属品を使用することを考慮して，付属品の引き渡し時期を下取車の引き渡し時期以降に設定しているが，本発明はこれに限定されない。例えば，付属品の使用時期が限られている場合（例えば雪道用タイヤ）などには，出品登録がなされた時点で，管理者１００（ＡＳＰ事業者）が販売店２００を通じて付属品を預かるようにすることも考えられる。このようなやり方は，付属品の引き渡しを迅速化でき，また，いわゆるネットオークション詐欺を未然に防止するためにも有効である。その結果として，入札者３００の安心感を高め，オークション自体の人気をも高めることを期待できる。
【００６４】
さらにこの考え方を進めて，管理者１００（ＡＳＰ事業者）が付属品の預かりと落札代金の決済完了とを確認したのちに，管理者１００（ＡＳＰ事業者）から落札した入札者３００へ付属品を引き渡す，一種のエスクロウ・サービスを行うことも考えられる。
【００６５】
・入札者端末３１０が無い場合
入札者３００がインターネットに接続できる機器を保有していない場合であっても，オークションへの参加を可能にする手段として，以下のようなことが考えられる。オークションの入札には，販売店端末２１０を用いる。オークションの落札通知は，販売店端末２１０に対して行われる。この場合，例えば販売店２００にて落札状況を確認し，販売店２００から落札した入札者３００に対して電話または郵便にて連絡を行う。落札代金の決済は，落札した入札者３００が，管理者１００（ＡＳＰ事業者）により指定された金融機関５００の口座（販売店名義の口座）に落札代金を振り込む。
【００６６】
ただし，このような形態をとる場合，落札通知や落札代金決済のために，入札者の個人情報を自動車販売店などが掌握しなければならない。このためには，販売店端末２１０を用いての入札を，事前登録による会員制などにすることも可能である。
【００６７】
・落札代金の新車購入への充当に関する契約
上記実施の形態においては，出品者４００が落札代金を新車購入の代金に充当することを前提としている。この前提によって，販売店２００にとっては新車販売の機会の拡大が期待される。よって，販売店２００にとっては，この期待を確実なものにするため，出品登録に先立って上記前提の旨を出品者４００との間で約束しておくことが望ましい。
【００６８】
システム運営による管理者１００（ＡＳＰ事業者）の収益創出としては，例えば以下のものが考えられる。
（１）販売店端末２１０（出品登録用端末）のリース料
上述のように，出品登録用に用いられる販売店端末２１０としては，例えば，タッチパネル方式の入力・表示装置や，スキャナやディジタルカメラなどを備えることができ，主に画像処理機能などに特化した端末を用いることが考えられる。このため，かかる販売店端末２１０をリース契約とすることが可能である。これにより，管理者１００は，販売店２００から利益を得ることができる。
（２）オークション運営手数料
上述のように，出品者４００は，このオークションシステム１０に参加することにより，大きな利益を得ることができる。そこで，オークション運営手数料として，出品者４００から，落札代金の一部を徴収することができる。
（３）販売店２００に対するサービス提供料
上述のように，販売店２００は，このオークションシステム１０に参加することにより，大きな利益を得ることができる。そこで，販売店２００に対するサービス提供料として，新車の売上の一部などを徴収するようにしてもよい。
【００６９】
以上，添付図面を参照しながら本発明にかかるオークションシステム，オークション取引方法，オークション管理サーバ，およびその関連技術の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【００７０】
本発明は，インターネットなどのネットワークを介したオークションシステム，オークション取引方法，オークション管理サーバ，およびその関連技術に利用可能である。
【図面の簡単な説明】
【００７１】
【図１】オークションシステムの全体構成を示す説明図である。
【図２】オークションシステムのシステム動作を示すフローチャートである。
【図３】オークション出品時の動作を示す説明図である。
【図４】オークション入札から落札までの動作を示す説明図である。
【図５】落札代金決済の動作を示す説明図である。
【図６】落札品納品，商品購入などの動作を示す説明図である。
【符号の説明】
【００７２】
１００  管理者
１１０  管理サーバ
１１０ａ  希望商品事前登録サイト
１１０ｂ  出品登録受付サイト
１１０ｃ  オークションサイト
１１０ｄ  落札代金決済サイト
１２０  管理サーバデータベース
２００  販売店
２１０  販売店端末（出品登録用端末，販売管理端末）
２２０  販売管理データベース
３００  入札者
３１０  入札者端末
４００  出品者
４１０  出品者端末
５００  金融機関
５１０  金融機関サーバ
５２０  口座データベース
【図１】
2005078254.tif 000003
【図２】
2005078254.tif 000004
【図３】
2005078254.tif 000005
【図４】
2005078254.tif 000006
【図５】
2005078254.tif 000007
【図６】
2005078254.tif 000008